(57)【特許請求の範囲】
【請求項１】
線状体と、順逆両方向に回転可能で、順方向へ回転すると前記線状体を巻き取る一方、該巻き取った線状体が引っ張られると逆方向へ回転して前記線状体を繰り出すリールと、該リールの少なくとも前記逆方向への回転を阻止するロック状態、または該リールの前記逆方向への回転を阻止しないアンロック状態のいずれかに切り替わるロック機構と、前記リールおよび前記ロック機構が組み込まれたケースとを備えてなり、本体の正面側に開閉可能な前枠を備えてなる遊技機に対し、前記ケースまたは該ケースから引き出された前記線状体の一端のいずれか一方が前記遊技機の本体側、他方が前記前枠側にそれぞれ固定され、前記前枠を閉じた際に前記リールで前記線状体を巻き取って前記ロック機構を前記ロック状態にすることによって前記前枠を開放不能にする遊技機用の不正開放防止装置であって、
前記線状体の切断を検知する断線検知手段を備えており、
前記断線検知手段は、
固定接点と、
所定以上の外力を受ける状態にある場合は第１の位置に変位した状態が維持される一方、前記所定以上の外力を受けない状態になった場合は前記第１の位置から第２の位置へと変位する構造で、前記第１，第２の位置のうち、いずれか一方に変位すると前記固定接点と接触し、他方に変位すると前記固定接点から離間する構造とされた可動接点と、
二位置間を変位可能、且つ、前記二位置のいずれかへ変位したときに、前記可動接点に対して前記所定以上の外力を作用させる部材であり、前記二位置の内、一方の位置から他方の位置へ変位する方向へ付勢された状態にあり、前記線状体が切断されていない場合には、前記線状体との当接に伴って前記他方の位置への変位が阻止されるため、前記付勢された状態にあるにもかかわらず前記一方の位置に保持される一方、前記線状体が切断された場合には、前記線状体が前記リールに巻き取られて前記線状体との当接が解除されるため、前記他方の位置へ変位する構造とされた外力付与部材と
を備えたことを特徴とする遊技機用の不正開放防止装置。
【請求項２】
前記外力付与部材は、前記線状体の直径よりも大きく変位する構造とされている
ことを特徴とする請求項１に記載の遊技機用の不正開放防止装置。
【請求項３】
前記ロック機構は、
前記リールに固定されて前記リールとともに回転する爪車と、
前記爪車外周部の爪に引っかかる係止位置、または前記爪車外周部の爪に引っかからない係止解除位置へ変位可能で、前記係止位置へ変位すると前記爪車の前記逆方向への回転を規制する状態になる回転規制部材と、
前記回転規制部材を前記係止解除位置から前記係止位置へと変位させる方向へ付勢するバネと、
非励磁状態においては前記バネからの付勢力を受けた前記回転規制部材が前記前記係止位置へ変位するのを妨げない一方、励磁状態にすると前記回転規制部材に対して前記バネとは逆方向の付勢力を与えることにより、前記回転規制部材を前記係止位置から前記係止解除位置へと変位させるソレノイドと
を備えることを特徴とする請求項１または請求項２に記載の遊技機用の不正開放防止装置。
【請求項４】
前記ケースの外部に、前記断線検知手段によって前記線状体の切断を検知した場合に、その旨を遊技場の係員に通知する通知手段
を備えたことを特徴とする請求項１〜請求項３のいずれかに記載の遊技機用の不正開放防止装置。
【請求項５】
前記通知手段は、遊技場において遊技機毎に設けられた呼出ランプが備える発光手段または数値表示手段を、前記線状体の切断報知用として兼用したものである
ことを特徴とする請求項４に記載の遊技機用の不正開放防止装置。
【請求項６】
前記通知手段は、コンピュータのディスプレイに、前記線状体の切断に関する情報を表示するように構成されたものである
ことを特徴とする請求項４に記載の遊技機用の不正開放防止装置。
【発明の詳細な説明】
【０００１】
【発明の属する技術分野】
本発明は、本体の正面側に開閉可能な前枠を備えてなる遊技機において、合鍵等を使って前枠を開放する不正行為を防止するために用いられる遊技機用の不正開放防止装置に関する。
【０００２】
【従来の技術】
従来から、パチンコ機に代表される弾球遊技機、あるいは回胴式遊技機（以下、これらを総称して単に遊技機という）において、遊技機の内部に配設されたＲＯＭや基板が、不正なものと交換されることが問題となっている。より具体的には、例えば、遊技場の営業時間外に遊技場に忍び込んだ者が、遊技機の前枠を開いて正規なＲＯＭや基板を不正なＲＯＭや基板と交換し、これにより、いわゆる大当たりの発生確率を高くしたり、大当たりの連続発生回数を増大させたりする。このような不正改造が行われていることを承知で来店した不正な遊技者は、通常の遊技では得られないような多量の賞球またはメダルを獲得するため、遊技場に多大な損害を与えてしまう。
【０００３】
このような問題に対処するための一手段として、特開平１０−０９４６５２号公報には、ワイヤを使って前枠の開放を阻止するように構成されたパチンコ機不正開放防止装置が開示されている。このような装置を用いれば、遊技場の営業時間外に遊技機の前枠を開放することができなくなるので、上記のような不正改造を防止できるものと期待された。
【０００４】
【発明が解決しようとする課題】
しかしながら、上記公報に記載のパチンコ機不正開放防止装置の場合、ワイヤを切断して不正改造を実行する者が現れると、被害を防止するための有効な対策にはならないという問題があった。
【０００５】
より具体的に説明すると、上記公報に記載のパチンコ機不正開放防止装置を装着すれば、遊技機の前枠を大きく開放するようなことはできなくなるのであるが、例えば、前枠に対して無理矢理大きな力を加えるようなことをすると、ワイヤがいくらか伸びたりすることがあり、また、パチンコ機不正開放防止装置の部品間の遊びに起因するガタがあることもあり、これらの蓄積によって前枠がごく僅かだけ開く方向へ動くことがある。そのため、このようにして前枠が僅かに開くと、ヤスリやナイフを隙間から差し込んでワイヤを切断することができるようになる場合があり、ワイヤが切断されてしまうと、遊技機の前枠を大きく開放するようなことができ、不正改造もできてしまう。
【０００６】
もちろん、遊技場の開店前にワイヤが切断されていないかどうかを点検することは不可能ではないが、大規模な遊技場になるほど遊技機の設置台数も多くなり、開店前にすべての遊技機について不正改造が実施されなかったか否かを毎日点検するようなことは現実的ではない。
【０００７】
そのため、仮に上記公報に記載のパチンコ機不正開放防止装置をパチンコ機に装着していたとしても、ワイヤが切断されて不正改造が行われた場合、そのような不正改造に気づくまでに数日以上を要することは多々あり、その間に不正な遊技が行われて被害を受けてしまうという問題があった。
【０００８】
本発明は、このような問題を解決するためになされたものであり、その目的は、ワイヤなどの線状体で遊技機の前枠の開放を防止する不正開放防止装置において、線状体が切断された場合に、そのことをすぐに察知して対処できるようにすることにある。
【０００９】
【課題を解決するための手段、および発明の効果】
上記目的を達成するために完成された本発明は、次のような構成を備えるものである。
まず、請求項１に記載の遊技機用の不正開放防止装置は、線状体と、順逆両方向に回転可能で、順方向へ回転すると前記線状体を巻き取る一方、該巻き取った線状体が引っ張られると逆方向へ回転して前記線状体を繰り出すリールと、該リールの少なくとも前記逆方向への回転を阻止するロック状態、または該リールの前記逆方向への回転を阻止しないアンロック状態のいずれかに切り替わるロック機構と、前記リールおよび前記ロック機構が組み込まれたケースとを備えてなり、本体の正面側に開閉可能な前枠を備えてなる遊技機に対し、前記ケースまたは該ケースから引き出された前記線状体の一端のいずれか一方が前記遊技機の本体側、他方が前記前枠側にそれぞれ固定され、前記前枠を閉じた際に前記リールで前記線状体を巻き取って前記ロック機構を前記ロック状態にすることによって前記前枠を開放不能にする遊技機用の不正開放防止装置であって、前記線状体の切断を検知する断線検知手段を備えており、前記断線検知手段は、固定接点と、所定以上の外力を受ける状態にある場合は第１の位置に変位した状態が維持される一方、前記所定以上の外力を受けない状態になった場合は前記第１の位置から第２の位置へと変位する構造で、前記第１，第２の位置のうち、いずれか一方に変位すると前記固定接点と接触し、他方に変位すると前記固定接点から離間する構造とされた可動接点と、二位置間を変位可能、且つ、前記二位置のいずれかへ変位したときに、前記可動接点に対して前記所定以上の外力を作用させる部材であり、前記二位置の内、一方の位置から他方の位置へ変位する方向へ付勢された状態にあり、前記線状体が切断されていない場合には、前記線状体との当接に伴って前記他方の位置への変位が阻止されるため、前記付勢された状態にあるにもかかわらず前記一方の位置に保持される一方、前記線状体が切断された場合には、前記線状体が前記リールに巻き取られて前記線状体との当接が解除されるため、前記他方の位置へ変位する構造とされた外力付与部材とを備えたことを特徴とする。
また、請求項２に記載の遊技機用の不正開放防止装置は、請求項１に記載の遊技機用の不正開放防止装置において、前記外力付与部材は、前記線状体の直径よりも大きく変位する構造とされていることを特徴とする。
また、請求項３に記載の遊技機用の不正開放防止装置は、請求項１または請求項２に記載の遊技機用の不正開放防止装置において、前記ロック機構は、前記リールに固定されて前記リールとともに回転する爪車と、前記爪車外周部の爪に引っかかる係止位置、または前記爪車外周部の爪に引っかからない係止解除位置へ変位可能で、前記係止位置へ変位すると前記爪車の前記逆方向への回転を規制する状態になる回転規制部材と、前記回転規制部材を前記係止解除位置から前記係止位置へと変位させる方向へ付勢するバネと、非励磁状態においては前記バネからの付勢力を受けた前記回転規制部材が前記前記係止位置へ変位するのを妨げない一方、励磁状態にすると前記回転規制部材に対して前記バネとは逆方向の付勢力を与えることにより、前記回転規制部材を前記係止位置から前記係止解除位置へと変位させるソレノイドとを備えることを特徴とする。
また、請求項４に記載の遊技機用の不正開放防止装置は、請求項１〜請求項３のいずれかに記載の遊技機用の不正開放防止装置において、前記ケースの外部に、前記断線検知手段によって前記線状体の切断を検知した場合に、その旨を遊技場の係員に通知する通知手段を備えたことを特徴とする。
また、請求項５に記載の遊技機用の不正開放防止装置は、請求項４に記載の遊技機用の不正開放防止装置において、前記通知手段は、遊技場において遊技機毎に設けられた呼出ランプが備える発光手段または数値表示手段を、前記線状体の切断報知用として兼用したものであることを特徴とする。
さらに、請求項６に記載の遊技機用の不正開放防止装置は、請求項４に記載の遊技機用の不正開放防止装置において、前記通知手段は、コンピュータのディスプレイに、前記線状体の切断に関する情報を表示するように構成されたものであることを特徴とする。
【００１０】
この遊技機用の不正開放防止装置において、線状体は、悪意を持って切断されるようなことが無い限り、通常の運用では切れない程度の強度を有し、且つ、リールに巻き取ることができる程度の柔軟性を有するものであり、例えば、金属製のワイヤ、チェーンなどが好適である。また、上述のような強度および柔軟性があれば、金属以外の材料（例えば、樹脂材料）で形成された線状体であってもよい。
【００１１】
リールは、少なくとも線状体を巻き取るときの回転方向（本発明でいう順方向）へは能動的に回転して線状体を巻き取ることができ、線状体を繰り出すときの回転方向（本発明でいう逆方向）へは線状体が引っ張り出されるのに伴って受動的に回転するか必要があればいくらか能動的に回転するかして線状体を繰り出すことができるものである。能動的に回転する構造としては、例えば、引っ張り出される線状体に従動してリールが回転すると締まるゼンマイを設けて、ゼンマイの力でリールが能動的に回転して線状体を巻き取るような構造を採用すればよい。また、モーターなどの動力源を設けて、その動力源からの力でリールを回転駆動するような構造を採用しても構わない。
【００１２】
ロック機構は、少なくとも２位置へ移動する可動部を有し、その可動部が一方の位置へ移動した時にのみ、リール側と係合したりリール側に圧接したりすることで、リールの回転を妨げる状態になる機構である。このような可動部は、例えばソレノイドやモータなどの動力源からの動力で作動するように構成されていると望ましい。
【００１３】
断線検知手段は、固定接点と、可動接点と、外力付与部材とを備えるものであり、前記可動接点は、所定以上の外力を受ける状態にある場合は第１の位置に変位した状態が維持される一方、前記所定以上の外力を受けない状態になった場合は前記第１の位置から第２の位置へと変位する構造で、前記第１，第２の位置のうち、いずれか一方に変位すると前記固定接点と接触し、他方に変位すると前記固定接点から離間する構造とされ、前記外力付与部材は、二位置間を変位可能、且つ、前記二位置のいずれかへ変位したときに、前記可動接点に対して前記所定以上の外力を作用させる部材であり、前記二位置の内、一方の位置から他方の位置へ変位する方向へ付勢された状態にあり、前記線状体が切断されていない場合には、前記線状体との当接に伴って前記他方の位置への変位が阻止されるため、前記付勢された状態にあるにもかかわらず前記一方の位置に保持される一方、前記線状体が切断された場合には、前記線状体が前記リールに巻き取られて前記線状体との当接が解除されるため、前記他方の位置へ変位する構造とされている。
【００１４】
以上のように構成された遊技機用の不正開放防止装置によれば、遊技機の前枠を閉じた状態にして、リールで線状体を巻き取ってからロック機構をロック状態にすれば、前枠を開放不能な状態にすることができる。
しかも、その状態において、線状体が切断された場合には、そのことを断線検知手段が検知するので、この検知結果に基づいて、不正な改造が行われた疑いのある遊技機の稼働を停止させたり、係員が内部の点検を行うなどの対処を、直ちに実施することができる。
【００１５】
なお、断線検知手段による検知結果をどのように扱うかは任意であるが、一例としては、検知結果を遊技場の係員に通知するという方法が考えられる。
検知結果を遊技場の係員に通知するための具体的な手段は任意であり、例えば、遊技機毎に警告灯を設けておいて、線状体の切断を検知した場合には、検知対象となった遊技機に対応する警告灯を点灯させる、といったものでよい。また、遊技島単位など複数の遊技機に対応する１つの警告灯を設けておいて、警告灯が点灯した場合は、それら複数の遊技機すべてを点検対象とするようにしてもよい。
【００１６】
また、単なる警告灯に代えて、７セグメントＬＥＤなどの数値表示器を設けるとともに、遊技機に事前に番号を割り当てておいて、線状体の切断を検知した場合には、検知対象となった遊技機に割り当てられた番号を数値表示器に表示するようにしてもよい。
【００１７】
これらの警告灯や数値表示器は、線状体の切断を報知するための専用品でなくてもよく、例えば、多くの遊技場において遊技機毎に設けられている公知の呼出ランプが別の目的で備えている発光手段や数値表示手段を、線状体の切断報知用として兼用してもよいし、遊技場内の各種装置を統合管理するホールコンピュータのディスプレイに、線状体の切断に関する情報を表示するようにしてもよい。
【００１８】
また、上記の具体例は、警告灯や番号表示など、いずれも視覚に訴える通知手段ばかりであるが、検知結果を知らせるための具体的な手段は、警報音などの聴覚に訴える通知手段や、係員の所持するバイブレータを振動させるなど触覚に訴える通知手段であってもよく、これらいくつかの通知手段を併用してもよい。
【００１９】
さらに、断線検知手段による検知結果は、単に係員に対して通知されるだけでもよいが、このような係員に対する通知以外の対処も考えることができ、例えば、断線検知手段による検知結果に基づいて、検知対象となった遊技機の電源や制御装置を制御することにより、その遊技機の稼働を強制的に停止させるようにしてもよい。このような対処は、単独で採用することもできるし、上述の係員に対する通知と併用することもできる。
【００２０】
つまり、本発明において、断線検知手段が線状体の切断を検知した後の対処方法は、係員への通知や遊技機の稼働停止など、様々な具体的対処方法を考えることができるが、いずれの方法で対処するにしても、線状体の切断を検知できなかった従来品とは異なり、直ちに何らかの対処を行うことができるのである。
【００２１】
【発明の実施の形態】
次に、本発明の実施形態について、具体的な一例を挙げて説明する。
図１に示すように、不正開放防止装置１は、ケース３、ワイヤ５（本発明でいう線状体）、および金具７を備えている。また、ケース３の内部には、図２に示すように、順逆両方向に回転可能なリール１１と、リール１１の中央部に組み込まれたゼンマイ１３と、リール１１に固定されてリール１１とともに回転する爪車１５と、爪車１５外周部の爪に引っかかるピン１７と、ワイヤ５の切断を検知する第１リミットスイッチ１９が組み込まれている。
【００２２】
リール１１は、軸２１を中心に回転可能で、外周部にワイヤ５の一端が連結されていて、順方向（図２中の矢印Ａ１方向）へ回転した際に、ワイヤ５を巻き取る一方、逆方向（図２中の矢印Ａ２方向）へ回転した際に、巻き取っていたワイヤ５を繰り出すことができるようになっている。
【００２３】
ゼンマイ１３は、内側にある一端が軸２１に固定されるとともに、外側にある一端がリール１１に固定され、いくらか締まる方向へ変形した状態で組み込まれることにより、常にリール１１を順方向に回転させるように付勢している。ワイヤ５がケース３から引っ張り出される方向（図２中の矢印Ｂ方向）へ力が作用した際には、ゼンマイ１３の付勢力に逆らってリール１１が逆方向へ回転し、ゼンマイ１３がさらに締まるため、ワイヤ５を引っ張り出す方向への力をゆるめると、ゼンマイ１３の力でリール１１が順方向へ回転し、ワイヤ５がリール１１に巻き取られる。
【００２４】
爪車１５およびピン１７は、本発明でいうロック機構を構成するものであり、本実施形態においては、爪車１５およびピン１７がラチェット機構を構成し、ピン１７によって爪車１５の逆方向への回転が規制されるようになっている。
より詳しく説明すると、ピン１７は、図３に示すように、スライド動作可能なスライダー２３に固定され、スライダー２３は、ソレノイド２５のプランジャ２７に連結され、ソレノイド２５のコイルスプリング２９によって一方向（図３中の矢印Ｃ１方向）に付勢されている。
【００２５】
ソレノイド２５が非励磁状態の時は、スライダー２３は図３中の矢印Ｃ１方向に変位した状態にあり、ピン１７は図２において実線で示した位置にあるため、爪車１５の順方向への回転は阻止されないが、爪車１５の逆方向への回転が阻止される。
【００２６】
すなわち、爪車１５を順方向（図２中の矢印Ａ１方向）へ回転させようとすると、爪車１５がピン１７に当接してピン１７に爪車１５からの力が作用するが、この時、爪車１５は、スライダー２３のスライド方向に作用する分力が大きくなるような傾きを持つ端面でピン１７に当接する。そのため、ピン１７およびスライダー２３は、ソレノイド２５のコイルスプリング２９の付勢力に抗してスライドし、ピン１７が障害物とはならないので、爪車１５の順方向への回転は阻止されず、リール１１の順方向への回転は阻止されない状態になる。
【００２７】
一方、爪車１５を逆方向（図２中の矢印Ａ２方向）へ回転させようとすると、この場合も爪車１５がピン１７に当接してピン１７に爪車１５からの力が作用するが、この時は、爪車１５が、スライダー２３のスライド方向に作用する分力が小さくなる（ほぼゼロになる）ような傾きを持つ端面でピン１７に当接する。そのため、ピン１７およびスライダー２３はスライドせず、ピン１７が障害物となるので、爪車１５の逆方向への回転が阻止され、リール１１の逆方向への回転が阻止される状態（本発明でいうロック状態）になる。
【００２８】
ソレノイド２５が励磁状態の時は、ソレノイド２５のプランジャ２７はコイルスプリング２９の付勢力に抗して図３中の矢印Ｃ２方向に変位し、スライダー２３は図３中の矢印Ｃ２方向に変位した状態になり、ピン１７は図２において破線で示した位置にあるため、爪車１５の回転は順逆両方向ともに阻止されない。
【００２９】
すなわち、ピン１７が爪車１５に接触しない位置にあり、ピン１７が障害物とはならないので、爪車１５は順逆両方向に回転することができ、リール１１の逆方向への回転が阻止されない状態（本発明でいうアンロック状態）になる。
つまり、本実施形態においてロック機構として採用した爪車１５およびピン１７は、ロック状態となる位置にピン１７がある時でも、リール１１の順方向への回転は許容し、常にリール１１を順方向に回転させようとするゼンマイ１３と協働して、常にワイヤ５を巻き取る方向へ引っ張っている。この構造により、ワイヤ５には常に張力が与えられることになり、ワイヤ５をたるまないようにすることができる。
【００３０】
第１リミットスイッチ１９は、本発明でいう断線検知手段として機能するものであり、図２に示すように、ワイヤ５に当接するレバー３１と、レバー３１に押圧されて変位する可動接点３３と、可動接点３３の変位に伴って可動接点３３と電気的に接続／切断される固定接点（図示略）とを備えている。レバー３１が、ワイヤ５に当接する状態にある場合、図２に示した通り、レバー３１は第１リミットスイッチ１９が内蔵する可動接点３３を押圧しているため、この可動接点−固定接点間は電気的に切断されている。一方、ワイヤ５が切断された場合は、ゼンマイ１３の力でリール１１が正方向に回転し、ワイヤ５がリール１１に巻き取られてしまうため、図４に示すように、レバー３１は可動接点３３を押圧しなくなり、可動接点−固定接点間は電気的に接続される。したがって、可動接点−固定接点間が電気的に接続されているか否かに基づいて、ワイヤ５がレバー３１に当接しているか否かを検知できる。ワイヤ５がレバー３１に当接していればワイヤ５が切断されていないと判断でき、ワイヤ５がレバー３１に当接していなければ、ワイヤ５が切断されている疑いがあると判断できるので、ワイヤ５が切断されている疑いがある場合に、必要な対処（例えば、警告ランプの点灯制御など）を実施することができる。
【００３１】
なお、図３に示したように、スライダー２３が図３中の矢印Ｃ２方向に変位した際にスライダー２３が当接する位置には、第２リミットスイッチ３７が組み込まれ、この第２リミットスイッチ３７により、ソレノイド２５の励磁に伴ってスライダー２３がスライドしたかどうかを検出できるようになっている。したがって、第２リミットスイッチ３７により、ソレノイド２５の故障またはスライダー２３の動作不良などを検出し、必要な対処（例えば、ソレノイド２５への電圧印加停止、警告ランプの点灯制御など）を実施することができる。
【００３２】
以上のように構成された不正開放防止装置１は、遊技機本体の正面側に開閉可能な前枠を備えている遊技機に対して装着される。遊技機に対して装着する際には、ケース３が遊技機本体側にねじ止め固定され、金具７が遊技機の前枠にねじ止め固定される。
【００３３】
前枠を閉めた場合は、ゼンマイ１３の力でリール１１が正方向に回転し、ワイヤ５のゆるみがなくなるまでワイヤ５がリール１１に巻き取られる。また、ワイヤ５がリール１１に巻き取られた状態において、爪車１５にピン１７が引っかかって爪車１５の逆方向への回転が阻止されるため、ワイヤ５を引っ張り出すことはできなくなり、これにより、遊技機の前枠を開放することができなくなる。
【００３４】
一方、外部からの指令（例えば、遊技場係員が所持するリモコンからの信号）を受けて、ソレノイド２５が励磁されると、爪車１５にピン１７が引っかからなくなって爪車１５の逆方向への回転が阻止されなくなるため、ワイヤ５を引っ張り出すことができるようになり、これにより、遊技機の前枠を開放することができるようになる。
【００３５】
ところで、前枠を閉めた場合は、上述の通り、遊技機の前枠を大きく開放することができなくなるのであるが、例えば、前枠に対して無理矢理大きな力を加えるようなことをすると、ワイヤ５がいくらか伸びたりすることがある。また、不正開放防止装置１の部品間の遊びに起因するガタがあるので、ロック状態でもワイヤ５を完全に繰り出されないようにすることは難しい。そのため、これらの蓄積により、前枠がごく僅かだけ開く方向へ動くことがある。そして、このようにして前枠が僅かに開くと、ヤスリやナイフを隙間から差し込んでワイヤ５を切断することができるようになる場合がある。
【００３６】
しかし、上記不正開放防止装置１において、ワイヤ５を切断すると、ワイヤ５がリール１１に巻き取られてしまい、それに伴って、常時はオフ状態になっている第１リミットスイッチ１９がオン状態になるため、例えば、第１リミットスイッチ１９がオン状態になったら点灯する警告ランプを併設することにより、遊技場の係員がワイヤ５の切断を容易に察知することができる。したがって、ワイヤ５の切断を察知した時点で、直ちに遊技機の点検を行うことができるようになり、必要があれば、遊技機の稼働停止や不正部品の交換などの必要な処置を施したりすることができるようになる。
【００３７】
以上、本発明の一実施形態について説明したが、本発明は上記一実施形態に限らず、上記とは別の種々の形態で実施することができる。
例えば、上記実施形態では、第１リミットスイッチ１９によってワイヤ５の断線を検知するように構成してあったが、これ以外の手法でワイヤの断線を検知してもよい。
【００３８】
また、上記実施形態では、ゼンマイ１３の力でワイヤ５を巻き取るように構成してあったが、モーターでリールを駆動してワイヤを巻き取るように構成してもよい。
【図面の簡単な説明】
【図１】  本発明の実施形態として説明した遊技機用の不正開放防止装置の斜視図である。
【図２】  ケース内部の構造の一部を示す断面図である。
【図３】  ケース内部の構造の別の一部を示す断面図である。
【図４】  ワイヤが切断された時の第１リミットスイッチの状態を示す断面図である。
【符号の説明】
１・・・不正開放防止装置、３・・・ケース、５・・・ワイヤ、７・・・金具、１１・・・リール、１３・・・ゼンマイ、１５・・・爪車、１７・・・ピン、１９・・・第１リミットスイッチ、２１・・・軸、２３・・・スライダー、２５・・・ソレノイド、２７・・・プランジャ、２９・・・コイルスプリング、３１・・・レバー、３３・・・可動接点、３７・・・第２リミットスイッチ。
【図１】
0004079674.tif 000002
【図２】
0004079674.tif 000003
【図３】
0004079674.tif 000004
【図４】
0004079674.tif 000005